(57)【要約】      （修正有）【課題】効率的に雨水を貯水して傾斜地に対して潅水可能な傾斜地緑化構造及び傾斜地緑化工法を提供することである。【解決手段】１対の土留め材１０を傾斜地１１に対して倒立Ｖ字状にアンカー材１２で固定した単位土留め手段１３を、傾斜地１１に対して上下左右に相互に間隔をあけて設け、その上に基盤材１４を吹き付け施工してなる傾斜地緑化構造であって、土留め材１０として、有底な中空部材からなり内部空間に連通する潅水用小孔を外周部に形成したものを用い、開口を山側にするとともに、潅水用小孔を傾斜地１１側にして、該土留め材１０を傾斜地１１に対してアンカー材で固定した。【選択図】図１
2008038541.tif 000002
【特許請求の範囲】
【請求項１】
１対の土留め材を傾斜地に対して倒立Ｖ字状にアンカー材で固定した単位土留め手段を、傾斜地に対して上下左右に相互に間隔をあけて設け、その上に基材を吹き付け施工してなる傾斜地緑化構造であって、
前記土留め材として、有底な中空部材からなり内部空間に連通する潅水用小孔を外周部に形成したものを用い、開口を山側にするとともに、潅水用小孔を傾斜地側にして、該土留め材を傾斜地に対してアンカー材で固定した、
ことを特徴とする傾斜地緑化構造。
【請求項２】
前記土留め材として、下端部以外の節を除去した竹材を用いた請求項１記載の傾斜地緑化構造。
【請求項３】
前記土留め材の上端部と残存する節よりも下側の土留め材の下端部とに貫通孔を形成し、該貫通孔にアンカー材を挿通させて、傾斜地に対して土留め材を固定した請求項２記載の傾斜地緑化構造。
【請求項４】
前記土留め材の上端部を斜めに切断して開口を形成し、開口が山側へ向くように土留め材を傾斜地に固定した請求項１〜３のいずれか１項記載の傾斜地緑化構造。
【請求項５】
前記土留め材の内部空間への基材の侵入を防止するフィルタを、土留め材の上端部に設けた請求項１〜４のいずれか１項記載の傾斜地緑化構造。
【請求項６】
前記土留め材の潅水用小孔の形成位置に排水孔を形成し、前記排水孔を塞ぐように土留め材の外周部に潅水用小孔を形成した封止体を水密状に固定して、土留め材に潅水用小孔を形成した請求項１〜５のいずれか１項記載の傾斜地緑化構造。
【請求項７】
前記単位土留め手段を傾斜地に対して千鳥掛け状に設けた請求項１〜６のいずれか１項記載の傾斜地緑化構造。
【請求項８】
１対の土留め材を傾斜地に対して倒立Ｖ字状にアンカー材で固定し、この倒立Ｖ字状に配置した単位土留め手段を傾斜地に対して上下左右に相互に間隔をあけて施工し、その上に基材を吹き付け施工する傾斜地緑化工法であって、
前記土留め材として、有底な中空部材からなり内部空間に連通する潅水用小孔を外周部に形成したものを用い、前記傾斜地に対する土留め材の施工時に、開口を山側にするとともに、潅水用小孔を傾斜地側にして、該土留め材を傾斜地に対してアンカー材で固定する、
ことを特徴とする傾斜地緑化工法。
【請求項９】
前記基材として砂質土と植生基材とを用い、砂質土を吹き付け施工した後、砂質土の上側に保護網を施工し、その後植生基材を保護網上に吹き付け施工する請求項８記載の傾斜地緑化工法。
【請求項１０】
前記土留め材として、下端部以外の節を除去した竹材を用いた請求項８又は９記載の傾斜地緑化工法。
【請求項１１】
前記土留め材の上端部と残存する節よりも下側の土留め材の下端部とに貫通孔を形成し、該貫通孔にアンカー材を挿通させて、傾斜地に対して土留め材を固定した請求項１０記載の傾斜地緑化工法。
【請求項１２】
前記土留め材の上端部を斜めに切断して開口を形成し、開口が山側へ向くように土留め材を傾斜地に固定した請求項８〜１１のいずれか１項記載の傾斜地緑化工法。
【請求項１３】
前記土留め材の内部空間への基材の侵入を防止するフィルタを、土留め材の上端部に設けた請求項８〜１２のいずれか１項記載の傾斜地緑化工法。
【請求項１４】
前記土留め材の潅水用小孔の形成位置に排水孔を形成し、前記排水孔を塞ぐように土留め材の外周部に潅水用小孔を形成した封止体を水密状に固定して、土留め材に潅水用小孔を形成した請求項８〜１３のいずれか１項記載の傾斜地緑化工法。
【請求項１５】
前記単位土留め手段を傾斜地に対して千鳥掛け状に設けた請求項８〜１４のいずれか１項記載の傾斜地緑化工法。
【発明の詳細な説明】
【技術分野】
【０００１】
本発明は、硬質岩盤面などの無毛地を施工した擁壁面を緑化するのに好適な傾斜地緑化構造及び傾斜地緑化工法に関する。
【背景技術】
【０００２】
コンクリ−トやモルタル等を打設して強化した擁壁面は、固化したコンクリ−トが露出して景観を害するとともに、自然環境を損なうことから、新設の擁壁面は勿論のこと、既設の擁壁面においても、緑化工事が推進されている。
【０００３】
緑化工事の方法としては、擁壁面に打ち込まれるアンカーピンと、アンカーピンに固定した平板状の土留め材とを備えたアンカー材を用い、このアンカー材を傾斜地の上下左右に相互に間隔をあけて複数固定した後、土留め材が略埋まるまで傾斜地に対して砂質土（現地発生土を含む）を吹き付け施工し、次に砂質土の上側に保護網を敷設施工し、その後植生基材を保護網上に吹き付け施工する傾斜地緑化工法が提案され、実施されている（例えば、特許文献１参照。）。
【０００４】
ところで、急勾配の傾斜地では、表土が流失し易く、しかも雨水等が基材の表面を流れ、植物の生育に必要な水分を十分に確保できないという問題があり、どうしても植物の生育が遅れるという問題があった。
【０００５】
そこで、土留め材をＶ字状に連結し、これを倒立Ｖ字状（山形）にアンカーピンにより傾斜地に対して固定した単位土留め手段を、傾斜地に対して上下左右に相互に間隔をあけて千鳥掛け状に設け、その上に基材を吹き付け施工してなる傾斜地緑化構造も提案されている（例えば、特許文献２参照。）。この傾斜地緑化構造では、隣接する単位土留め手段の土留め材間においては、基材が自重により下側へ移動しようとするが、その移動が倒立ハ字状に隣接配置された土留め材で阻止されて、下側へ行くにしたがって基材が締め固められるので、急勾配の傾斜地であっても、雨水による基材の流失を効果的に抑制でき、ダム湖などの湛水法面に対しても好適に利用できるという利点がある。
【０００６】
一方、土留め材として設定寸法に切断した竹材を用い、傾斜地側において土留め材の外周部に、内部空間に連通する小孔を形成し、傾斜地とは反対側において土留め材の外周部に、雨水等を内部空間へ取り入れるための取水孔を形成し、土留め材の内部空間に肥料を充填した状態で、取水孔を上側にして傾斜方向とは左右方向に相互に間隔をあけて複数の土留め材を固定して、取水孔から取り入れた雨水とともに肥料を、小孔から傾斜地へ徐々に供給するように構成した傾斜地緑化構造も提案されている（例えば、特許文献３参照。）。
【０００７】
【特許文献１】特開平１０−３７２２０号公報
【特許文献２】実用新案登録第３１０３５５９号公報
【特許文献３】特開２００５−１６３４４０号公報
【発明の開示】
【発明が解決しようとする課題】
【０００８】
特許文献３記載の傾斜地緑化構造では、竹材からなる土留め材の内部空間に肥料を充填することで、長期にわたって傾斜地に肥料を供給できる。しかし、土留め材に対して施肥のための小孔だけでなく、雨水を取り込むための複数の取水孔を形成する必要があるので、土留め材の加工作業が煩雑になるという問題がある。また、この傾斜地緑化構造は、傾斜地に対して肥料を供給することを目的としたものであり、土留め材の内部空間に対する雨水の取り込み量は少なくてもよいので、これを傾斜地への潅水用の傾斜地緑化構造として利用することは困難であった。
【０００９】
本発明の目的は、効率的に雨水を貯水して傾斜地に対して潅水可能な傾斜地緑化構造及び傾斜地緑化工法を提供することである。
【課題を解決するための手段】
【００１０】
本発明に係る傾斜地緑化工法は、１対の土留め材を傾斜地に対して倒立Ｖ字状にアンカー材で固定した単位土留め手段を、傾斜地に対して上下左右に相互に間隔をあけて設け、その上に基材を吹き付け施工してなる傾斜地緑化構造であって、前記土留め材として、有底な中空部材からなり内部空間に連通する潅水用小孔を外周部に形成したものを用い、開口を山側にするとともに、潅水用小孔を傾斜地側にして、該土留め材を傾斜地に対してアンカー材で固定したものである。
【００１１】
この傾斜地緑化工法では、倒立Ｖ字状に配置された土留め材の上端部の開口から、雨水等が土留め材の内部空間に流入して土留め材内に貯留され、潅水用小孔を通って徐々に傾斜地に対して潅水がなされることになる。このため、保水力の小さい急傾斜地等であっても、土留め材により傾斜地に対して十分な潅水を行って、植物の生育を促進することができる。また、土留め材の上端の大きな開口を利用して、土留め材の内部空間に十分な量の雨水を充填することができるので、雨水を内部空間に取り込むための貫通孔等を別途形成する必要がなく、土留め材に対する加工作業を少なくできる。また、土留め材を倒立Ｖ字状に配置するので、隣接する単位土留め手段の土留め材間においては、基材の自重により、下側へ行くにしたがって基材が締め固められるので、急勾配の傾斜地であっても、雨水による基材の流失を効果的に抑制でき、ダム湖などの湛水法面に対して用いた場合でも、基材の流失を効果的に防止できる。
【００１２】
ここで、前記土留め材として、下端部以外の節を除去した竹材を用いることが好ましい実施の形態である。土留板としては、有底な中空部材であれば任意の構成のもの、例えば断面が円形や楕円形や多角形状に形成された、合成樹脂材料や金属材料からなるものを採用することもできるが、竹材を用いると、その製作コストを低減できるし、自然環境にも優しい傾斜地緑化が可能となる。また、このような竹材からなる土留め材は、土中において４〜５年間、朽ちることなくその強度を保持でき、その間に植物が十分に根付くので、竹材が朽ちた後においても、基材が流失することはない。また、現地で調達した竹材を利用して土留め材を構成できるので、地場産業の発展にも貢献できる。
【００１３】
また、竹材を土留め材として用いる場合には、前記土留め材の上端部と残存する節よりも下側の土留め材の下端部とに貫通孔を形成し、該貫通孔にアンカー材を挿通させて、傾斜地に対して土留め材を固定することが好ましい実施の形態である。本発明では、土留め材の内部空間を雨水の貯留空間として活用するので、貯留空間を貫通するようにアンカー材を挿通させて、土留め材を傾斜地に固定すると、アンカー材の挿通部分を水密状にシールする必要があり、その作業が煩雑になる。この発明では、土留め材の上端部の固定は、貯留される水量にほとんど影響をおよぼさない貯留空間の上部を貫通するようにアンカー材を挿通させて固定し、土留め材の下端部の固定は、残存する節よりも下側、即ち貯留空間を貫通することなくアンカー材を挿通させて固定することで、傾斜地に対する土留め材の取付強度を十分に確保できるとともに、アンカー材の挿通する部分にシールを施す必要がないので容易に施工でき、しかも十分な分量の雨水を貯水できることになる。
【００１４】
前記土留め材の上端部を斜めに切断して開口を形成し、開口が山側へ向くように土留め材を傾斜地に固定することもできる。このように構成すると、土留め材の上端開口から土留め材の内部空間へ効率良く雨水を取り入れることができる。
【００１５】
前記土留め材の内部空間への基材の侵入を防止するフィルタを、土留め材の上端部に設けることもできる。このように構成することで、土留め材の内部空間に基材が詰まることによる、潅水用小孔からの潅水不良や貯水量の低下を防止して、土留め材の潅水機能を長期にわたって維持できる。
【００１６】
前記土留め材の潅水用小孔の形成位置に排水孔を形成し、前記排水孔を塞ぐように土留め材の外周部に潅水用小孔を形成した封止体を水密状に固定して、土留め材に潅水用小孔を形成することも好ましい実施の形態である。土留め材に貯留した雨水をできるだけ効率良く傾斜地に潅水できるようにするため、潅水用小孔はできるだけ高精度に形成することが好ましいが、土留め材は例えば長さ１ｍの比較的大きな寸法のものなので、潅水用小孔の寸法精度を高めると製作コストが高くなるという問題がある。そこで、この発明のように、封止体に対して潅水用小孔を形成して、これを土留め材に水密状に固定することで、潅水用小孔の寸法精度を高めつつ、土留め材の製作コストを安くできるので好ましい。特に、土留め材として竹材を用いた場合には、現場で竹材に潅水用小孔を形成する必要があり、潅水用小孔の加工精度が低くなりやすいので、予め潅水用小孔を形成した封止体を工場等で製作し、これを現場において竹材に固定することが好ましい。
【００１７】
前記単位土留め手段を傾斜地に対して千鳥掛け状に設けることも好ましい実施の形態である。このように構成すると、基材の流失を一層効果的に防止できるとともに、上側に配置された土留め材の下端部の下側に、下側に配置された土留め材の上端部が配置され、隣接する単位土留め手段の倒立ハ字状に配置された上側１対の土留め材により雨水を集め、集めた雨水を下側の土留め材の内部空間に効率的に供給できる。
【００１８】
本発明に係る傾斜地緑化工法は、１対の土留め材を傾斜地に対して倒立Ｖ字状にアンカー材で固定し、この倒立Ｖ字状に配置した単位土留め手段を傾斜地に対して上下左右に相互に間隔をあけて施工し、その上に基材を吹き付け施工する傾斜地緑化工法であって、前記土留め材として、有底な中空部材からなり内部空間に連通する潅水用小孔を外周部に形成したものを用い、前記傾斜地に対する土留め材の施工時に、開口を山側にするとともに、潅水用小孔を傾斜地側にして、該土留め材を傾斜地に対してアンカー材で固定するものである。この傾斜地緑化工法では、前記傾斜地緑化構造と同様の作用が得られる。
【００１９】
ここで、前記基材として砂質土と植生基材とを用い、砂質土を吹き付け施工した後、砂質土の上側に保護網を施工し、その後植生基材を保護網上に吹き付け施工すること、前記土留め材として、下端部以外の節を除去した竹材を用いること、前記土留め材の上端部と残存する節よりも下側の土留め材の下端部とに貫通孔を形成し、該貫通孔にアンカー材を挿通させて、傾斜地に対して土留め材を固定すること、前記土留め材の上端部を斜めに切断して開口を形成し、開口が山側へ向くように土留め材を傾斜地に固定すること、前記土留め材の内部空間への基材の侵入を防止するフィルタを、土留め材の上端部に設けること、前記土留め材の潅水用小孔の形成位置に排水孔を形成し、前記排水孔を塞ぐように土留め材の外周部に潅水用小孔を形成した封止体を水密状に固定して、土留め材に潅水用小孔を形成すること、前記単位土留め手段を傾斜地に対して千鳥掛け状に設けること、などが好ましい実施の形態である。
【発明の効果】
【００２０】
本発明に係る傾斜地緑化構造及び傾斜地緑化工法によれば、保水力の小さい急傾斜地等であっても、土留め材により傾斜地に対して十分な潅水を行って、植物の生育を促進することができる。また、土留め材の上端の大きな開口を利用して、土留め材の内部空間に十分な量の雨水を充填することができるので、雨水を内部空間に取り込むための貫通孔等を別途形成する必要がなく、土留め材に対する加工作業を少なくできる。また、土留め材を倒立Ｖ字状に配置するので、隣接する単位土留め手段の土留め材間においては、基材の自重により、下側へ行くにしたがって基材が締め固められるので、急勾配の傾斜地であっても、雨水による基材の流失を効果的に抑制でき、ダム湖などの湛水法面に対して用いた場合でも、基材の流失を効果的に防止できる。
【発明を実施するための最良の形態】
【００２１】
以下、本発明の実施の形態について図面を参照しながら説明する。
図１〜図４に示すように、傾斜地緑化構造は、１対の土留め材１０を傾斜地１１に対してアンカー材１２で倒立Ｖ字状に固定した単位土留め手段１３を、傾斜地１１に対して上下左右に相互に間隔をあけて設け、その上に基材１４を吹き付け施工してなる傾斜地緑化構造であって、土留め材１０として、有底な中空部材からなり内部空間１５に連通する潅水用小孔１６を外周部に形成したものを用い、開口１７を山側にするとともに、潅水用小孔１６を傾斜地１１側にして、該土留め材１０を傾斜地１１に対してアンカー材１２で固定したものである。本実施の形態では、基材１４として、砂質土１８と植生基材１９保護網２０とを有し、砂質土１８を吹き付け施工した後、砂質土１８の上側に保護網２０を施工し、その後植生基材１９を保護網２０上に吹き付け施工したてなる基材１４を採用したが、それ以外の構成の基材を採用することも可能である。また、本実施の形態では、地盤２１の上面にコンクリート又はモルタルなどからなる硬質傾斜地２２を予め施工した法面からなる傾斜地１１を緑化する場合について説明するが、コンクリート又はモルタルなどからなる硬質傾斜地２２以外に、硬質岩盤面などのように植物が自生していない無毛地を緑化する場合についても本発明を同様に適用できる。
【００２２】
土留め材１０は、貯水可能な有底な中空部材であれば任意の構成のものを採用することができ、鉄系金属やアルミニウム合金等の金属材料、強化プラスチック材料または、エンジニアリングプラスチックス材料などの合成樹脂材料等を有底筒状に成形したものや、竹材や木材などを加工したものを採用できる。木材や竹材などの木質系材料で土留め材１０を構成すると、自然環境を保護できるので好ましく、特に、図３、図４に示すように、土留め材１０として竹材を用いると、下端の節２５以外の節を除去することで、容易に有底筒状に加工でき、しかも木材と比較して朽ち難く、土中において４〜５年間、朽ちることなくその強度を保持できるので好適に採用できる。土留め材１０を竹材で構成する場合には、竹材を設定長さに切断した後、この竹材の下端の節２５を残して、他の節を除去することによって、上端に開口１７を有する有底筒状の土留め材１０を製作することができる。また、間伐材などの木材を用いる場合には、木材を設定寸法に切断して、木材の中央部に長さ方向に沿って延びる有底孔を形成することで、土留め材１０を製作することができる。
【００２３】
土留め材１０の断面形状は、竹材を用いる場合には円形になるが、その他の素材を用いる場合には、円形や楕円形や多角形状など、任意の断面形状に形成することができる。土留め材１０の長さは、傾斜地緑化構造の施工の面積の大きさにもよるが、０．５ｍ〜１．５ｍに設定でき、また土留め材１０の高さは、９０ｍｍ〜１５０ｍｍに設定できる。
【００２４】
土留め材１０の上端部は、図３に示すように、土留め材１０の長さ方向に対して角度θ１を付けて斜めに切断されている。長さ方向に直角に切断することも可能であるが、斜めに切断する方が上端開口１７の開口面積が大きくなって、雨水を取り込み易くなるので好ましい。また、このように斜めに切断した開口１７を山側へ向けて、傾斜地１１に対して土留め材１０を固定することで、土留め材１０内への雨水の取り込みが効率的になされることになる。長さ方向に対する開口１７の傾斜角度θ１は、傾斜地１１の傾斜方向に対する土留め材１０の傾斜角度θ２と略同じに設定され、傾斜地１１に固定した状態で開口１７が略水平に配置されるように構成することが好ましい。
【００２５】
土留め材１０の上端開口１７を閉塞するように土留め材１０の上端部にはフィルタ２３が設けられ、基材１４が土留め材１０の内部空間１５に入ることを阻止し、雨水のみがフィルタ２３を通って内部空間１５内へ取り込まれるように構成されている。フィルタ２３としては、木綿や椰子ガラ繊維などの天然繊維や、再生繊維や半合成繊維や合成繊維や無機繊維などの化学繊維をマット状に圧縮成形したものや、これらの繊維材からなる織布又は不織布からなるものや、金属メッシュを用いることができる。このフィルタ２３は、土留め材１０の上端部内に設けることも可能である。
【００２６】
傾斜地１１に対する土留め材１０の固定構造について説明すると、図３、図４に示すように、土留め材１０の上端近傍部と、節２５よりも下側の土留め材１０の下端部には貫通孔２４が形成され、土留め材１０は、両貫通孔２４にアンカー材１２をそれぞれ挿通させて、アンカー材１２を傾斜地１１に打ち込み固定することで、傾斜地１１に対して固定されている。このように構成することで、傾斜地１１に対する土留め材１０の取付強度を十分に確保できるとともに、アンカー材１２の挿通する部分にシールを施すことなく、十分な分量の雨水を長期にわたって貯留でき、貯水性能を低下させることなく土留め材１０の施工作業性を向上できる。尚、土留め材１０として竹材以外の素材からなるものを用いる場合には、中空パイプ状の土留め材の下端近傍部に仕切り壁を形成して、仕切り壁よりも下側において土留め材１０に貫通孔２４を形成することになる。
【００２７】
アンカー材１２としては、下端を先鋭に構成したステンレス製のアンカーピンを好適に採用できるが、パイプ状や細長い板状のものを採用することもできる。またアンカー材１２の素材は、ステンレスに限らず、炭素工具鋼、コーテッド超硬合金、ハイス等の金属、また、軽合金、セラミックス、プラスチック、硬質ゴム等を採用することもできる。
【００２８】
但し、土留め材１０の固定構造としては、上記以外の固定構造を採用することもできる。例えば、金属帯板を土留め材１０に巻きつけて、金属帯板の両端部に形成した貫通孔にアンカーピンを挿通させ、アンカーピンを傾斜地１１に打ち込み固定することで、傾斜地１１に対して土留め材１０を固定することもできる。また、Ｕ字状やＪ字状のアンカーピンを用い、アンカーピンの湾曲部に土留め材１０が保持されるように、アンカーピンを傾斜地１１に固定することで、傾斜地１１に対して土留め材１０を固定することもできる。更に、金属線などの紐体を土留め材１０に巻き掛けて、紐体の両端部をアンカーピンで傾斜地１１に固定することで、傾斜地１１に対して土留め材１０を固定することも可能である。
【００２９】
また、アンカー材１２の上端部が土留め材１０よりも上側へ突出しているので、アンカーピンの上端部に保護網２０を係合させて、保護網２０の位置ズレを防止できるとともに、植生基材１９の吹き付け高さをアンカー材１２の上端部の突出具合で確認しながら植生基材１９を吹き付け施工できるので、植生基材１９を適正分量だけ精度良く吹き付け施工することができる。
【００３０】
土留め材１０の節２５の近くには、図４に示すように、土留め材１０の内部空間１５に貯留した雨水で傾斜地１１を潅水するための潅水用小孔１６が形成されている。この潅水用小孔１６の直径は、大きすぎると貯留した雨水が短時間で排水されてしまい、潅水効果が十分に得られず、小さすぎると潅水量が少なくなりすぎて潅水効果が得られないことから、直径０．１ｍｍ〜４ｍｍに設定されている。また、潅水用小孔１６の個数が増えると単位時間あたりの潅水量が増えるので、潅水用小孔１６の直径は、潅水用小孔１６の個数に応じて設定することになる。
【００３１】
この潅水用小孔１６は節２５に形成することも可能で、このように構成すると、潅水用小孔１６の開口部が筒状の土留め材１０の下端部で覆われるので、潅水用小孔１６に基材１４が詰まることによる潅水不良を防止することができる。また、図５に示すように、潅水用小孔１６Ａの形成位置に対応させて土留め材１０に潅水用小孔１６Ａよりも大径の排水孔２７を形成し、排水孔２７が封止されるように、潅水用小孔１６Ａを形成した粘着テープからなる封止体２８を土留め材１０の外周部に水密状に貼着したり、図６に示すように、排水孔２７に潅水用小孔１６Bを形成した合成樹脂などからなる栓体からなる封止体２９を排水孔２７に水密状に挿入固定したりして、土留め材１０に潅水用小孔を設けることもできる。
【００３２】
図２、図３に示すように、倒立Ｖ字状に配置される１対の土留め材１０と、傾斜地１１の傾斜方向との角度θ２は４０°〜５０°に設定され、隣接する単位土留め手段１３における土留め材１０のなす角度θ３は１００°〜８０°に設定されている。また、左右に隣接配置される単位土留め手段１３の間隔Ｌ１は４５ｃｍ〜７０ｃｍに設定され、上下に隣接配置される単位土留め手段１３の間隔Ｌ２は４５ｃｍ〜７０ｃｍに設定され、上下左右に配置される単位土留め手段１３は千鳥掛け状に設けられている。このように単位土留め手段１３を配置することで、隣接する単位土留め手段１３の土留め材１０間に吹き付けた基材１４は、下側へ行くにしたがって締め固められるので、急勾配の傾斜地１１であっても、雨水による基材１４の流失を効果的に抑制でき、ダム湖などの湛水法面に対して用いた場合でも、基材１４の流失を効果的に防止できる。また、図３に矢印で示すように、雨水が、上側１対の土留め材１０により、下側の土留め材１０の上端部側へ案内されるので、土留め材１０への貯水を効率的に行うことが可能となる。
【００３３】
尚、土留め材１０の内部空間１５に、植物の成長に必要な肥料及び／又は添加剤を充填することも好ましい。肥料としては、窒素（Ｎ）、燐酸（Ｐ）、カリ（Ｋ）等の固形肥料、または化成肥料などを充填でき、添加剤としては、石灰（Ｃａ）、マンガン（Ｍｎ）、モリブデン（Ｍｏ）等の微量要素などを充填できる。このように構成することで、土留め材１０の内部空間１５に貯留される雨水とともに、肥料や添加剤を傾斜地１１に供給して、傾斜地１１における植物の生育を一層促進することができる。但し、このように肥料や添加剤を充填する場合には、潅水用小孔１６が目詰まりしないように、土留め材１０の内部空間１５に、潅水用小孔１６側への肥料や添加剤の移動を阻止するフィルタを設けることが好ましい。
【００３４】
基材１４は、砂質土１８と植生基材１９とを備えている。基材１４を施工するときには、単位土留め手段１３を千鳥掛け状に設置した傾斜地１１に対して砂質土１８を吹き付けてから、砂質土１８の上に保護網２０を敷設し、最後に保護網２０の上側から植生基材１９を吹き付け施工することになる。
【００３５】
砂質土１８は、川砂又は山砂と、水と、バインダーと、緑化基材と、植物生育材とを混合したものである。砂としては、施工現場とは異なる場所で得られたものを用いることもできるし、施工場所で得られる土や山砂などの現地発生土を用いることもできる。バインダーとしては、各種セメント、水ガラス、石膏、その他有機系高分子物質等を採用できる。緑化基材としては、例えばヤシガラ、稲ワラ等の有機系繊維状物、有機系活性肥料、腐葉土、ピートモス、バーク堆肥、その他の腐植酸物質等を採用できる。植物生育材としては、例えば窒素（Ｎ）、燐酸（Ｐ）、カリ（Ｋ）等の固形肥料、または化成肥料、石灰（Ｃａ）、マンガン（Ｍｎ）、モリブデン（Ｍｏ）等の微量要素、その他各種の植生生育促進剤等を採用できる。砂質土１８を構成する各素材の配合比率は傾斜地１１の環境等に応じて任意に設定できる。
【００３６】
植生基材１９は、有機系活性肥料と、鉱物焼成軽量材と、腐植酸物質と、高分子凝集剤と、植物種子とを混合したものである。植物種子としては、例えば芝生、ケンタッキー、クリーピング、チモシー、ヤマハギ等を採用できる。有機系活性肥料としては、例えばバーク堆肥、ピートモス、腐葉土（緑肥）等の各種植物系再生利用材を採用できる。高分子凝集剤としては、例えばアクリル系樹脂、ポリビニル系（ＰＶＣ）樹脂、メラミン樹脂等の粘着性高分子材料を採用できる。鉱物焼成軽量材としては、例えば真珠岩焼死発泡体、黒曜石焼成発泡体、ひる石焼成発泡体、珪藻土焼成粒等がある。上記腐植酸物質としては、例えばモミガラ、稲ワラ、落葉等の腐植酸物質、緑肥等の各種植物系再生利用材を採用できる。植生基材１９を構成する各素材の配合比率は施工環境等に応じて任意に設定できる。例えば、表１に示すように配合することになる。
【００３７】
【表１】
2008038541.tif 000003
【００３８】
保護網２０は、金網や合成樹脂網で構成でき、本発明では特に基材１４の上面に沿って容易に変形操作可能な比較的軟質な素材からなる金網や合成樹脂網を好適に利用できる。合成樹脂網としては、土木分野で広く用いられているジオテキスタイルのうち、ポリプロピレンやポリアミドなどの合成高分子材料を素材とする引張強度に優れたジオグリッドを採用できる。
【００３９】
砂質土１８の厚さは、土留め材１０の高さと略同じに設定され、例えば８０ｃｍ〜１５０ｃｍに設定されている。植生基材１９の厚さは３ｃｍ〜７ｃｍ程度に設定することになる。
【００４０】
次に、傾斜地緑化工法について説明する。この傾斜地緑化工法は、コンクリート又はモルタルなどからなる硬質傾斜地２２が予め施工された傾斜地１１に本発明を適用した場合のものであるが、地肌が露出した傾斜地１１に対しても本発明を同様に適用できる。
【００４１】
先ず、厚さ１０〜３０ｃｍの既設の硬質傾斜地２２に、図示外の削岩機により、直径が例えば２０〜６０ｍｍの図示外の貫通孔を、１ｍ2当り、例えば４〜１０個の割合で上下左右に間隔をあけて形成する。この貫通孔は、例えば地盤２１側の浸透水を集めて、砂質土１８側へ吸水し易くするための導水管（例えば毛細管作用を有する植生用筒体）を嵌挿したり、砂質土１８を充分に注入充填したりして、砂質土１８側へ十分な水分が供給されるようにするためのものである。また、この貫通孔とは別に、土留め材１０の取付位置に合わせてアンカー材１２を打ち込み固定するための固定孔２６を形成する。
【００４２】
次に、図２、図３に示すように、土留め材１０の開口１７が山側となり、潅水用小孔１６が傾斜地１１側となるように、土留め材１０の貫通孔２４にアンカー材１２を挿通させて、アンカー材１２を固定孔２６に打ち込み固定し、１対のアンカー材１２で傾斜地１１に対して土留め材１０を順次固定して、１対の土留め材１０をアンカー材１２で固定してなる倒立Ｖ字状の単位土留め手段１３を、傾斜地１１に対して上下左右に相互に間隔をあけて千鳥掛け状に固定する。
【００４３】
次に、図４に示すように、土留め材１０の略全体が覆われる程度に砂質土１８を吹き付け施工した後、砂質土１８に沿って保護網２０を敷設し、砂質土１８を保護網２０で覆った状態で、保護網２０の上側から植生基材１９を厚さが３ｃｍ〜７ｃｍとなるように略一様な厚さで吹き付け施工して、傾斜地緑化構造の施工を完了することになる。
【００４４】
このようにして施工された傾斜地緑化構造では、倒立Ｖ字状に配置された土留め材１０の上端部の開口１７から、雨水等が土留め材１０の内部空間１５に流入して土留め材１０内に貯留され、潅水用小孔１６を通って徐々に傾斜地１１に対して潅水がなされることになる。このため、保水力の小さい急傾斜地等であっても、土留め材１０により傾斜地１１に対して十分な潅水を行って、植物の生育を促進することができる。また、単位土留め手段１３を傾斜地１１に対して千鳥掛け状に設けているので、隣接する単位土留め手段１３の倒立ハ字状に配置された上側１対の土留め材１０により雨水が集められて、集めた雨水が下側の土留め材１０の開口１７部側へ案内され、しかも土留め材１０の上端の大きな開口１７を利用して、土留め材１０の内部空間１５に十分な量の雨水を充填することができるので、土留め材１０の内部空間１５に効率的に雨水を取り入れることが可能となる。更に、土留め材１０を倒立Ｖ字状に配置するので、隣接する単位土留め手段１３の土留め材１０間においては、基材１４の自重により、下側へ行くにしたがって基材１４が締め固められるので、急勾配の傾斜地１１であっても、雨水による基材１４の流失を効果的に抑制でき、ダム湖などの湛水法面に対して用いた場合でも、基材１４の流失を効果的に防止できる。
【図面の簡単な説明】
【００４５】
【図１】傾斜地緑化構造の縦断面図
【図２】単位土留め手段を施工した状態を示す正面図
【図３】単位土留め手段の正面図
【図４】基材を施工した状態における図３のIV-IV線縦断面図
【図５】他の実施例の潅水小孔付近の縦断面図
【図６】他の実施例の潅水小孔付近の縦断面図
【符号の説明】
【００４６】
１０    土留め材        １１    傾斜地
１２    アンカー材      １３    単位土留め手段
１４    基材          １５    内部空間
１６    潅水用小孔      １７    開口
１８    砂質土          １９    植生基材
２０    保護網          ２１    地盤
２２    硬質傾斜地      ２３    フィルタ
２４    貫通孔          ２５    節
２６    固定孔
１６Ａ  潅水用小孔      ２７    排水孔
２８    封止体          ２９    封止体
【図１】
2008038541.tif 000004
【図２】
2008038541.tif 000005
【図３】
2008038541.tif 000006
【図４】
2008038541.tif 000007
【図５】
2008038541.tif 000008
【図６】
2008038541.tif 000009